(57)【要約】  付属の底層がベビーベッドのマットレスに取り付けられた、安全かつ簡単に着脱可能であり再利用可能である耐水性パッドに関連のシステム。本発明の取り外し可能な耐水性パッドは、現時点のＳＩＤＳの勧告に従うようにピンと張った状態にフィットしたパッドを提供することにより乳児突然死症候群（ＳＩＤＳ）のリスクを低減しようとしている。そのパッドを頻繁に変更、清掃および交換することができる。
2015535469.tif 000002
【特許請求の範囲】
【請求項１】
ベビーベッドに使用する取り外し可能な耐水性パッドシステムであって、
マットレスの周りを固定するように構築および配置された底層ボックスシーツであって、前記マットレスの上面に隣接する上面と、ベビーベッドフレームの一部分に隣り合う前記マットレスの底面に隣接する底面とを有する、底層ボックスシーツと、
前記マットレスの前記上面のほとんどの部分をカバーするように構築および配置され、底部耐水層、中間吸収層および上部生地層を有する、上層パッドと、
前記底層ボックスシーツが前記マットレスに固定されるときに、前記上層パッドを前記底層ボックスシーツに動作可能に接続する第１の固定手段と、
を備え、
前記第１の固定手段が前記底部耐水層に沿って前記パッドの前記縁部に装着されることにより、前記上層パッドが前記マットレスに沿って実質的に静止している、
取り外し可能な耐水性パッドシステム。
【請求項２】
前記第１の固定手段が面ファスナである、請求項１に記載のシステム。
【請求項３】
前記底層ボックスシーツが、前記マットレスの前記上面および前記底面の周りに前記底層ボックスシーツを装着する弾性のバンドを備える第２の固定手段を有する、請求項１に記載のシステム。
【請求項４】
前記底層ボックスシーツが前記マットレスの前記底面の周りに一体型弾性バンドを備える第２の固定手段を有する、請求項１に記載のシステム。
【請求項５】
前記底層ボックスシーツが、前記底層ボックスシーツを前記マットレスの前記底面に装着するためのジッパを備える第２の固定手段を有する、請求項１に記載のシステム。
【請求項６】
前記上層パッドの厚さが約６ｍｍである、請求項１に記載のシステム。
【請求項７】
前記上層パッドが、前記中間吸収層が一様に分布することを保証するように一定のパターンの縫い目列を有する、請求項１に記載のシステム。
【請求項８】
前記縫い目列が、ループ、ダイヤモンドおよび正方形からなる群から選択されたパターンから作製される、請求項７に記載のシステム。
【請求項９】
前記縫い目が連続のパターンを有する、請求項７に記載のシステム。
【請求項１０】
前記縫い目が不連続のパターンを有する、請求項７に記載のシステム。
【請求項１１】
前記底層ボックスシーツが、ポリエステル、レーヨン、羊毛、綿および上記の材料のいずれかの混合物からなる群から選択された材料から作製される、請求項１に記載のシステム。
【請求項１２】
前記底部耐水層がゴム系材料から作製される、請求項１に記載のシステム。
【請求項１３】
前記底部耐水層がプラスチック系材料から作製される、請求項１に記載のシステム。
【請求項１４】
前記中間吸収層が、ポリエステル、ポリウレタン、ビスコース、レーヨンおよび上記の材料のいずれかの混合物からなる群から選択された材料から作製される、請求項１に記載のシステム。
【請求項１５】
前記上部生地層が、ポリエステル、レーヨン、羊毛、綿および上記の材料のいずれかの混合物からなる群から選択された材料から作製される、請求項１に記載のシステム。
【請求項１６】
前記取り外し可能な耐水性パッドシステムが洗濯可能な材料から作製される、請求項１に記載のシステム。
【発明の詳細な説明】
【技術分野】
【０００１】
本発明は、ベビーベッドに使用するベッドシーツおよび寝具類に関する。
【背景技術】
【０００２】
マットレスカバー、シーツ、またはパッドがマットレスをカバーするのに広く使用されている。カバー、シーツおよびパッドは、様々なスタイルのものが販売されており、いくつかの異なる目的で使用されている。一部のものは特別なクッション作用を与え、寝ている人を支え、他のものはマットレス自体をより清潔に保つための余分の層として働く。
【０００３】
乳幼児および他の寝たきりの人は腸や膀胱をコントロールするのが難しい場合があり、マットレスまたはマットレスの上部の要素（すなわち、カバー、シーツおよび／またはパッド）を汚損する恐れがある。したがって、場合によってはマットレスの上部の要素は１日に何度も交換する必要がある。マットレス上にピンと張った状態にフィットしたカバー、シーツおよび／またはパッドを配置するのに必要な労力を考えると、これは疲弊させ時間のかかるものとなり得る。
【０００４】
さらに、上部の要素のフィット性および設計がベッドのユーザによっては重要な場合がある。ベビーベッドについては、設計に関して特有の安全性の課題を考慮しなければならない。乳児突然死症候群（ＳＩＤＳ）を予防するための勧告が最も重要である。米国ではＳＩＤＳが１カ月から１歳の乳幼児の主な死因である。ＳＩＤＳは病気でも疾患でもない。ＳＩＤＳは、１歳未満の子供が突然死亡し、死亡現場の調査、検死および子供の病歴の評価をいずれも実施した後に正確な死因を特定できないときに下される診断である。ＳＩＤＳは前兆なしに起こることがあり、そのためＳＩＤＳが親を不安にさせる特別な原因になっている。現時点で米国では毎年、乳児２，３００例前後がＳＩＤＳにより死亡している。ＳＩＤＳは月齢１カ月から４カ月の乳幼児に影響を及ぼすことが最も多い。症例の９０パーセント（９０％）が月齢６カ月未満の乳児である。
【０００５】
ＳＩＤＳおよび他の睡眠関連の乳児の死亡は、窒息、仮死、閉じ込め、感染症、摂食、代謝病、不整脈由来の心臓イオンチャネル疾患および外傷（偶発性外傷および偶発性でない外傷の両方）が原因の可能性がある。米国小児科学会（ＡＡＰ）は定期的に、乳児の睡眠時の安全性およびＳＩＤＳのリスクの低下に関する指針を発表している。最新の指針は２０１１年１０月１８日に発表されており、勧告が１８件挙げられている。この文献のために該当する勧告を以下に引用する。
・背臥位で（全面的に背中を下にして）寝るように乳児を置くべきである。
・硬いベビーベッド用マットレスをボックスシーツでカバーして使用すべきである。
・軟らかい物体または緩んだ寝具類（枕、毛布およびバンパーパッドを含む）をベビーベッドの外に置くべきである。
・乳児の頭部をカバーすることや暖め過ぎることを避けるべきである。
【０００６】
ＳＩＤＳのリスクおよび現時点の勧告を鑑みて、寝具要素（パッド、マットレス、掛けシーツ、ベッドカバーなど）を選ぶときに検討する側面がいくつかある。特に乳幼児の顔がそのアイテムに対して押圧されるかまたはその近くにある場合は、厚いかまたは緩くフィットしたカバー、シーツおよび／またはパッドが乳幼児の呼吸を邪魔することがある。パッドまたはマットレスをベビーベッドに確実に適切にフィットさせるべきである。乳幼児の頭部の近くおよびその周りの通気が減少することがあるので、隙間や孔があるとそれが乳幼児にとって危険になる可能性がある。ベビーベッドのパッドまたはマットレスはやはり硬いものにすべきである。軟らかいマットレスが乳幼児の頭部または顔の形状になじんで窒息のリスクを増大させることがある。ベビーベッド内での閉じ込め、窒息または絞扼のリスクを増大させる可能性がある緩んだ寝具類または任意の物体をやはり確実に無くすべきである。
【０００７】
従来技術はベビーベッドのマットレス用の有用な耐水性カバーを提供しているが、現時点でのＳＩＤＳの勧告を念頭において設計されたものではない。例えば、米国特許第４，９２２，５６５号には、防湿性の上側パネルおよびマットレスに取り付けられた下側パネルから構成されたベビーベッドのシーツが開示されている。上側パネルと下側パネルは互いに引き離すことができる。面ファスナによりパネル同士が２辺でしか取り付けられず、それにより、孔および隙間が残され乳幼児の頭部や四肢がその中に引っ掛かる可能性がある。従来技術はバンパーパッドを使用して上側パネルを留め、乳幼児がアクセスできる孔または隙間があればそれを封鎖できることを教示しているが、どのＳＩＤＳ関連の勧告の下でもバンパーパッドが禁止されていることに留意されたい。
【発明の概要】
【発明が解決しようとする課題】
【０００８】
したがって、従来技術の欠点を克服する、安全かつ簡単に着脱可能であり再利用可能である耐水性パッドが必要である。
【課題を解決するための手段】
【０００９】
本発明は、付属の底層がベビーベッドのマットレスに取り付けられた、現時点で安全かつ簡単に着脱可能であり再利用可能である耐水性パッドに関するシステムを提供する。本発明の取り外し可能な耐水性パッドは、現時点のＳＩＤＳの勧告に従うようにピンと張った状態にフィットしたパッドを提供することにより乳児突然死症候群のリスクを低減しようとしている。そのパッドを頻繁に変更、清掃および交換することができる。
【００１０】
第１の態様では、本発明は、ベビーベッドに使用する取り外し可能な耐水性パッドシステムであって、前記システムが、
マットレスの周りを固定するように構築および配置された底層ボックスシーツであって、マットレスの上面に隣接する上面と、ベビーベッドフレームの一部分に隣り合うマットレスの底面に隣接する底面とを有する、底層ボックスシーツと、
マットレスの上面のほとんどの部分をカバーするように構築および配置され、底部耐水層、中間吸収層および上部生地層を有する、上層パッドと、
底層ボックスシーツがマットレスに固定されるときに、上層パッドを底層ボックスシーツに動作可能に接続する第１の固定手段と
を備え、
第１の固定手段が底部耐水層に沿ってパッドの縁部に装着されることにより、上層パッドがマットレスに沿って実質的に静止している、
取り外し可能な耐水性パッドシステムを提供する。
【００１１】
次に、以下の図を参照しながら本発明の実施形態を説明する。図では、同一の参照番号は図が異なっても同一の要素を示す。
【図面の簡単な説明】
【００１２】
【図１】本発明の第１の実施形態による、ベビーベッド内の取り外し可能な耐水性パッドシステムのボックスシーツ 底層の斜視図である。
【図２】本発明の第１の実施形態による取り外し可能な耐水性パッドシステムの斜視図である。
【図３】本発明の第１の実施形態による図２の線Ａ−Ａに沿った取り外し可能な耐水性パッドシステムの断面図である。
【図４】本発明の第２の実施形態による、ベビーベッド内の取り外し可能な耐水性パッドシステムのボックスシーツ 底層の斜視図である。
【図５】本発明の第２の実施形態による取り外し可能な耐水性パッドシステムの斜視図である。
【図６】本発明の第２の実施形態による図５の線Ｂ−Ｂに沿った取り外し可能な耐水性パッドシステムの断面図である。
【発明を実施するための形態】
【００１３】
図は原寸に比例しておらず、特定の要素の詳細を示すために一部の特徴を誇張することも最小限に抑えることもあり、それに関連付けられた要素は、新規の態様を不明確にするのを防止するために省略することがある。したがって、本明細書に開示する特定の構造上および機能上の詳細は、限定的と解釈すべきではなく、単に本発明を様々な形で採用するための特許請求の範囲に関する基礎および当業者に教示するための典型例の基礎と解釈すべきである。
【００１４】
本発明は、ベビーベッドのボックスシーツおよびマットレスのパッドの両方に代替品を提供する。パッドの耐水性の性質により下に敷いてあるマットレスを汚損の可能性から保護する。パッドが汚損された場合は、パッドは底層から単に取り外され、洗濯され、再利用される。
【００１５】
図１から図３を参照すると、取り外し可能な耐水性パッドシステムの概略的な典型例が本発明の一実施形態に従って示されている。図１から図３に、固定手段が楕円形の角を有しマットレスの縁部に配置された本発明の一実施形態を示す。図１から図３では、上層パッドがマットレスの上面全体をカバーし、不連続の縫い目列パターン形態を有する。
【００１６】
図４から図６に、本発明の別の実施形態による取り外し可能な耐水性パッドシステムの概略的な典型例を示す。図４から図６は、固定手段が矩形でありマットレスの縁部から離れた位置に配置された本発明の別の実施形態を示す。図４から図６では、上層パッドは、マットレスの上面のほとんどの部分をカバーし、連続の縫い目列パターン形態を有する。
【００１７】
図１を参照すると、取り外し可能な耐水性パッドシステムは、マットレス２０全体をまたはマットレス２０のほとんどの部分をカバーするようにベビーベッド１０に使用されるように設計されている。ベビーベッド１０のマットレス２０はフレーム３０によって全体的に支持されている。
【００１８】
取り外し可能な耐水性パッドシステムは概して、底層４０および上層パッド５０を含む。図１の底層４０は、マットレス２０をカバーするボックスシーツである。図１の底層４０はマットレス２０の側部しかカバーせず、底層４０によってカバーされていない空所にマットレス２０を見ることができる。上層パッド５０（図２に示す）は、第１の固定手段６０によって底層４０に着脱可能に取り付けることができる。一実施形態では、第１の固定手段６０は、底部分が底層４０の上面に取り付けられ、上部分が上層パッド５０の底面に取り付けられた二部構成の固定システムである。第１の固定手段６０の上部分と底部分とは、上層パッド５０が底層４０に対して移動しないように、上層パッド５０を底層４０に固定するように協働する。図１に示す実施形態では、二部構成の固定システムの底部分はマットレス２０の周囲をカバーするように構成されている。二部構成の固定システムの相補的な上部分は、底層の上面にある底部分の各区間が上層パッド５０の底面にある対応する上部分を有するように、上層パッド５０の周囲もカバーする。
【００１９】
図２を参照すると、図１に示すシステムの別の概略的な描写が示されている。本発明の一態様による取り外し可能な耐水性パッドシステムの上層パッド５０が示されている。図では、上層パッド５０は底層４０の上およびマットレス２０の上にある。
【００２０】
図３は、線Ａ−Ａに沿った、図２に示すシステムの断面図である。話を簡単にするために、フレーム３０のほとんどの断面を図３に示さないことに留意されたい。
【００２１】
図３からわかるように、底層４０は、ベビーベッドのマットレス２０の周りに固定されるように構築および配置されたボックスシーツである。ボックスシーツ４０の底層は、マットレス２０の上面に隣接する上面と、マットレス１０の底面に隣接する底面とを有する。マットレス１０の底面は、ベビーベッドフレーム１０の一部分に隣接して配置されている。好ましい実施形態では、底層４０は、マットレス１０の上面５０および底面６０の周りに底層ボックスシーツを装着する第２の固定手段を備える。この第２の固定手段は弾性のバンドから作製することができる。第２の固定手段は、マットレス２０に対して底層をピンと張った状態に保持するように展開される。
【００２２】
図３に示す実施形態では、底層４０は第２の固定手段を有し、この第２の固定手段は、マットレスの上面の周りにある一体型弾性バンド７０と、底層ボックスシーツ２０をマットレス１０の底面に装着するためのジッパ８０とを含む。マットレス２０に対して底層４０をピンと張った状態に保持する他の固定手段を使用してもよい。ボタン、スナップ、引き紐および／またはこうした固定具の組み合わせを用いることができる。
【００２３】
底層ボックスシーツ４０を任意のタイプの天然の生地材料または合成の生地材料から作製できることに留意されたい。好ましい実施形態では、使用する材料は、毎日の使用により高い耐久性を維持するようにポリエステル材料である。
【００２４】
やはり図３を参照すると、取り外し可能な耐水性パッドシステムの上層パッド５０は、マットレス１０の上面ならびに底層ボックスシーツ４０の上面を全体的にカバーするように構築および配置することができる。図２に示すように上層パッド３０は丸形の角を有することができる。上層パッド３０は、３つの層、つまり底部耐水層９０、中間吸収層１００および上部生地層１１０から構成されてよい。これらの層は実質的に一体型の物体を形成することができる。
【００２５】
パッドが厚すぎるかまたは柔らかすぎると窒息の原因となることがあるので上層パッド５０の高さおよびテクスチャは重要であることに留意されたい。したがって、上層パッド５０の全厚は約６ｍｍであり、一様の高さまたは厚さのままになるように中間吸収層が確実に一様に分布するように一定のパターンの形式で意図的に縫製されている。これらの予防的な設計がさらに、乳児突然死症候群のリスクを低下させる。上層パッド５０が縫い合わされるかまたは縫い込まれる状態が中間吸収層が確実に一様に分布するように様々な縫い目列パターン形式を有することができることが当業者には明らかであろう。例えば、ループ、ダイヤモンドおよび正方形など、縫い合わされるかまたは縫い込まれるパターンを使用することができる。さらに、連続または不連続の縫い目列パターンを用いることができる。図２に不連続の縫い目列パターンの使用を示す。
【００２６】
上層パッド５０の底部耐水層９０は、下に敷いてあるマットレス２０およびボックスシーツ４０を汚損の可能性から保護する。底部耐水層９０は、任意のタイプの防水性または耐水性の材料から作製されうる。好ましい実施形態では、使用する材料は、ポリエステルと塑化ポリ塩化ビニル（ＰＶＣ−Ｐ）との混合物など、耐水性のテント用の生地である。
【００２７】
上層パッド５０の中間吸収層１００は、上層パッド５０上にいる乳幼児の汚物または廃棄物を溜めておく機能を果たす。中間吸収層１００は、流体を吸収する任意のタイプの天然または合成の材料から作製することができる。好ましい実施形態では、使用する材料は、ポリエステルとビスコースレーヨンとの合成のブレンドである。
【００２８】
上部生地層３６はユーザにとって快適性および美的な魅力を向上させるために用いられる。上部生地層３６は、底層ボックスシーツ２０と同じ材料から作製することができ、そのため、２つの間の色、テクスチャおよび設計が互いにマッチし、パッドシステム全体の外観を見た目の良いものにすることができる。したがって、底層ボックスシーツ２０と同様に、上面の層３６は任意のタイプの天然の生地材料または合成の生地材料から作製することができる。好ましい実施形態では、使用する材料は、毎日の使用により高い耐久性を維持するようにポリエステル材料である。
【００２９】
上層パッド５０は全厚を１／２インチから１／４インチとすることができる。もちろん他の寸法が可能である。
【００３０】
二部構成の固定システムの底部分１２０および上部分１３０も図３に示されている。図３からわかるように、二部構成の固定システムは、マットレス２０の文字通りの縁部および上層パッド５０の文字通りの縁部にくるように位置決めされる。この位置決めにより、上層パッド５０と底層４０との間の接点が第１の固定手段によってカバーされるので、それぞれの縁部で上層パッド５０とマットレス２０との間に確実に隙間がなくなる。
【００３１】
好ましい実施形態では、面ファスナ手段が第１の固定手段として使用して上層パッド５０を底層４０に連結する。面ファスナのフック部を二部構成の固定システムの底部分とすることができ、面ファスナのループ部を上部分とすることができる。想像できる通り、図１〜図３に示す実施形態は、マットレス２０の各縁部に複数のストリップの面ファスナまたは連続したストリップの面ファスナを使用する。
【００３２】
こうした面ファスナを使用すれば、乳幼児の睡眠時の配置が実質的に静止したものになり、さらに、親によるパッドシステムの着脱および交換が簡単になる。しかし、上層パッド５０と底層４０との間でピンと張ってぴったりとフィットさせるのに当技術分野で知られた他のどの代替の固定手段を使用してもよい。第１の固定手段は、取り付けおよび取り外しの簡単な機構を維持しながら耐水性パッドシステムの動きを制限する。
【００３３】
図４を参照すると、取り外し可能な耐水性パッドシステムの代替の実施形態が示されている。理解できるように、第１の固定手段の底部分はマットレス２０の文字通りの縁部ではない底層の上面に位置決めされている。この実施形態では、第１の固定手段の上部分は、それに対応して上層パッドの底面に位置決めされる。
【００３４】
図５を参照すると、代替の実施形態は上層パッド５０がマットレスを完全にカバーする必要がないことを示している。理解できるように、上層パッド５０は、マットレス２０の上部の面積より小さい面積をカバーする。第１の固定手段の上部分は、第１の固定手段により上層５０と底層４０との間に協働してシールを形成するように、上層パッドの底部の縁部に位置決めされている。
【００３５】
図５は、システムの上層パッド５０上に正方形の縫い目列パターンを連続して繰り返して使用する状態も示す。上記に記載したように、他の縫い目列パターンおよび設計を使用することができる。
【００３６】
図６を参照すると、線Ｂ−Ｂに沿ったシステムの断面図が示されている。図３に示す実施形態と同様に、図６の実施形態は取り外し可能な耐水性パッドシステムの上層パッド５０および底層４０を有し、上層パッド５０と底層４０とは洗濯可能な面ファスナ手段によって解放可能に連結されている。上層パッド５０は、第１の固定手段の底部分１２０を底層ボックスシーツ４０に動作可能に接続するように、耐水性の層９０から離れる方に下に向いた面の外周に第１の固定手段の上部分１３０を有する。第１の固定手段の底部分１２０は、図６に示すように底層４０の上部の縁部から離れる方に配置することができる。
【００３７】
上層パッド５０上の第１の固定手段の上部分１３０は、実質的に静止した上層パッド５０を構築し、乳幼児の頭部がその中に引っ掛かる恐れがある孔、隙間または他の開口を防止するように、底部耐水層９０に沿って上層パッド５０の縁部に意図的に装着される。
【００３８】
本発明の面ファスナ手段を解放可能に係合解除するためには、第１の固定手段の底部分１２０と第１の固定手段の上部分１３０との間に単に指を置くだけでよい。次いで、これらの２つの部分を互いから引き離して互いから係合解除する。
【００３９】
図６に示す実施形態は、図６の実施形態が第２の固定手段として一体型弾性バンドを２本使用するという点で図３の実施形態とは異なることに留意されたい。第１の一体型弾性バンド７０は底層の上部に位置決めされ、第２の一体型弾性バンド７０Ａは底層４０の底部に位置決めされる。マットレスの上面の周りの一体型弾性バンド７０は底層４０をマットレス２０の上部に装着し、第２の一体型弾性バンド７０Ａは底層４０をマットレス２０の底面に装着する。マットレス２０に対して底層４０をピンと張った状態に保持する他の固定手段を使用してもよい。ボタン、スナップ、引き紐および／またはこうした固定具の組み合わせを採用することができる。
【００４０】
さらに好ましい実施形態では、耐水性パッドおよび／または付属の底層を清掃することができ、普通のどの洗濯機および乾燥機にも耐え得るように構築することができる。
【００４１】
本発明のさらなる利点は、マットレスの周りのおよびマットレスを通した通気を改善できることである。以前は、乳児が使用するマットレスを乳児の廃棄物に対して保護するにはプラスチックの層または構成要素が必要であった。耐水性パッドシステムの耐水性の性質によりこうした事態からすでに保護しているので、乳児が使用するマットレスはこうしたプラスチックの層または構成要素を有する必要がない。マットレスにプラスチックではない層または構成要素を使用すると、通気を改善でき、それにより、乳児の暖め過ぎが予防される。乳児の暖め過ぎの予防がＳＩＤＳ予防の勧告の１つであることに留意されたい。
【００４２】
例示した取り外し可能な耐水性パッドシステムはベビーベッドに使用するように設計されているが、本発明は、どんなサイズのベッドにも利用でき、所望のどのサイズにも製造することができる。さらに、本発明をソファ、椅子、座席および枕に使用することができる。
【００４３】
ここで、本発明を理解する者には、全て以下の特許請求の範囲で定義される本発明の範囲内にあることが意図される上記の代替の構造および実施形態または変更形態を考案することができる。
【符号の説明】
【００４４】
１０  ベッド
２０  マットレス
３０  フレーム
３６  上部生地層
４０  底層ボックスシーツ
５０  上層パッド
６０  第１の固定手段
７０  一体型弾性バンド
７０Ａ  第２の一体型弾性バンド
８０  ジッパ
９０  底部耐水層
１００  中間吸収層
１１０  上部生地層
１２０  二部構成の固定システムの底部分
１３０  二部構成の固定システムの上部分
【図１】
2015535469.tif 000003
【図２】
2015535469.tif 000004
【図３】
2015535469.tif 000005
【図４】
2015535469.tif 000006
【図５】
2015535469.tif 000007
【図６】
2015535469.tif 000008
【手続補正書】
【提出日】平成26年4月7日(2014.4.7)
【手続補正１】
【補正対象書類名】特許請求の範囲
【補正対象項目名】全文
【補正方法】変更
【補正の内容】
【特許請求の範囲】
【請求項１】
ベビーベッドに使用する取り外し可能な耐水性パッドシステムであって、
マットレスの周りを固定するように構築および配置された底層ボックスシーツであって、前記マットレスの上面に隣接する上面と、ベビーベッドフレームの一部分に隣り合う前記マットレスの底面に隣接する底面とを有する、底層ボックスシーツと、
洗濯可能な材料から作製され、前記マットレスの前記上面のほとんどの部分をカバーするように構築および配置され、底部耐水層と、前記底部耐水層の上方に配置される中間吸収層と、前記中間吸収層の上方に配置された上部生地層とを有する一体型の上層パッドであって、各層が実質的に同じ寸法である、一体型の上層パッドと、
前記底層ボックスシーツが前記マットレスに固定されるときに、前記一体型の上層パッドを前記底層ボックスシーツに動作可能に接続する第１の固定手段であって、前記第１の固定手段の上部分が前記底部耐水層の底部分の第１の周囲全体に沿って装着され、前記第１の固定手段の底部分が前記ボックスシーツの前記上面の第２の周囲全体に沿って装着される、第１の固定手段と
を備え、
前記第１の固定手段の前記上部分が前記第１の固定手段の前記底部分に固定されるときに、前記上層パッドが前記マットレスに沿って実質的に静止している、
取り外し可能な耐水性パッドシステム。
【請求項２】
前記第１の固定手段が面ファスナである、請求項１に記載のシステム。
【請求項３】
前記底層ボックスシーツが、前記マットレスの前記上面および前記底面の周りに前記底層ボックスシーツを装着する弾性のバンドを備える第２の固定手段を有する、請求項１に記載のシステム。
【請求項４】
前記底層ボックスシーツが前記マットレスの前記底面の周りに一体型弾性バンドを備える第２の固定手段を有する、請求項１に記載のシステム。
【請求項５】
前記底層ボックスシーツが、前記底層ボックスシーツを前記マットレスの前記底面に装着するためのジッパを備える第２の固定手段を有する、請求項１に記載のシステム。
【請求項６】
前記上層パッドの厚さが約６ｍｍである、請求項１に記載のシステム。
【請求項７】
前記上層パッドが、前記中間吸収層が確実に一様に分布するように一定のパターンの縫い目列を有する、請求項１に記載のシステム。
【請求項８】
縫い目列が、ループ、ダイヤモンドおよび正方形からなる群から選択されたパターンから作製される、請求項７に記載のシステム。
【請求項９】
縫い目列が連続のパターンを有する、請求項７に記載のシステム。
【請求項１０】
縫い目列が不連続のパターンを有する、請求項７に記載のシステム。
【請求項１１】
前記底層ボックスシーツが、ポリエステル、レーヨン、羊毛、綿および上記の材料のいずれかの混合物からなる群から選択された材料から作製される、請求項１に記載のシステム。
【請求項１２】
前記底部耐水層がゴム系材料から作製される、請求項１に記載のシステム。
【請求項１３】
前記底部耐水層がプラスチック系材料から作製される、請求項１に記載のシステム。
【請求項１４】
前記中間吸収層が、ポリエステル、ポリウレタン、ビスコース、レーヨンおよび上記の材料のいずれかの混合物からなる群から選択された材料から作製される、請求項１に記載のシステム。
【請求項１５】
前記上部生地層が、ポリエステル、レーヨン、羊毛、綿および上記の材料のいずれかの混合物からなる群から選択された材料から作製される、請求項１に記載のシステム。
【国際調査報告】
2015535469.tif 000009
2015535469.tif 000010